(57)【要約】【課題】排水口より排出される水の量を適度に制限するようにした排水用制水器具を提供する。【解決手段】浴槽等の排水口２に着脱自在に装着して、排水口２より排水管へ排水される水の量を制限する排水用制水器具であって、上面に開口部４ａを有し、かつ開口部４ａより底部４ｃ側へ漸次小径となる有底テーパ状に形成された器具本体４と、器具本体４の周面に開口され、かつ排水口２より排水管へ排水される水の量を制限する制水孔４ｂとから構成したもので、排水口２より排水された水は器具本体４の周面に形成された制水孔４ｂにより排水量が制限されて、排水管の飲み込み量を越えた排水が排水口２から排出されることがないため、排水管が排水を処理できなくなることにより生じる床面や階下への漏水が未然に防止できるようになる。【選択図】図５
0003126254.tif 000002
【実用新案登録請求の範囲】
【請求項１】
浴槽等の排水口に着脱自在に装着して、前記排水口より排水管へ排水される水の量を制限する排水用制水器具であって、上面に開口部を有し、かつ前記開口部より底部側へ漸次小径となる有底テーパ状に形成された器具本体と、前記器具本体の周面に開口され、かつ前記排水口より前記排水管へ排水される水の量を制限する制水孔とを具備したことを特徴とする排水用制水器具。
【請求項２】
前記器具本体の内底面をほぼ半球状に形成してなる請求項１に記載の排水用制水器具。
【請求項３】
前記制水孔を、前記器具本体の円周方向に間隔を存して複数個形成してなる請求項１または２に記載の排水用制水器具。
【請求項４】
前記器具本体を、耐食性を有する金属や合成樹脂により一体成形してなる請求項１ないし３の何れかに記載の排水用制水器具。
【考案の詳細な説明】
【技術分野】
【０００１】
本考案は、浴槽等の排水口に装着して、排水管へ排水される水の量を制限する排水用制水器具に関する。
【背景技術】
【０００２】
近年マンションやホテル等の建造物をはじめ、一般住宅にもユニットバスが設置されるようになっている。
ユニットバスは、浴室全体が強化プラスチック等により成形されていて、浴室内に浴槽や洗い場等が一体形成されており、浴槽や洗い場には、それぞれ排水口が設けられている。
浴槽や洗い場に設けられた排水口は、建造物に予め配管された排水管に接続されていて、排水口より排水された水は、排水管を経て下水道へと排水されるよになっているが、排水口より排水される水には垢や毛髪等のゴミが混入されており、ゴミを水とともに排水管へ排水すると、ゴミにより排水管が詰まって排水が困難になったり、排水できなかった水が床下や階下等に逆流して漏水の原因となる。
【０００３】
このため従来では、排水とともにゴミが排水管へ排出されないように排水口に、例えば特許文献１及び２に記載されているようなゴミ取り手段を装着している。
前記特許文献１に記載のゴミ取り部材は、円盤状のプレートに円形の中心孔とその周辺に多数の内側孔及び外側孔を穿設したもので、表面側の粘着層で毛髪等のゴミを、そして裏面側の粘着層でその他のゴミを除去することにより、ゴミが排水管へ排出されるのを防止している。
また特許文献２の防塵具は、薄い弾性板の下部に棒状または偏平状の細長体を形成して、これら細長体を束ねることにより逆ドーム状の防塵具を形成したもので、細長体間の隙間を排水が通過する際ゴミを濾過するようになっている。
【特許文献１】実開平６−４９５７２号公報
【特許文献２】実開平７−１９２０７号公報
【考案の開示】
【考案が解決しようとする課題】
【０００４】
前記特許文献１や２に記載のゴミ取り手段では、排水口より排水される水に混入したゴミを除去することができるが、次のような問題がある。
すなわち浴槽のように多量の水を排水するものでは、排水口の開口面積が小さいと排水に時間がかかるため、開口面積を大きくするほど排水効率が上がる。
しかし建造物に配管された排水管には、設置スペースや経済的な理由から大口径の管体が使用されていることは少ない。
特にマンションやホテルのように、各部屋に設置されたユニットバスの排水を集合させて排水管により排水するようにしたものでは、排水管の飲み込み量を越えた排水を排水口から排水すると、排水管が排水を処理できなくなり、その結果排水が床に漏水したり、階下に漏水する問題が生じる。
このため従来では、排水管の飲み込み量を想定して浴槽等の排水口の開口面積を設定している。
【０００５】
図６は排水口の形態による排水量と排水時間の関係を示したもので、排水受け入れ限界線Ａが排水管の飲み込み量である。
この図６（ａ）に示すように排水口の開口面積を大きくすると排水時間は短縮されるが、飲み込み量を越えた分が漏水することになる。
図６の（ｂ）は、排水口に特許文献１のようなゴミ取り手段を取り付けた場合を示すもので、円板に穿設された小孔により排水量が制限されるため、排水口より排水される水の量が排水管の飲み込み量を越えることはないが、ゴミにより円盤の小孔に目詰りが生じると、排水量が減少するため、排水に時間がかかる問題がある。
本考案はかかる問題を改善するためになされたもので、排水口より排出される水の量を適度に制限するようにした排水用制水器具を提供して、漏水等を未然に防止することを目的とするものである。
【課題を解決するための手段】
【０００６】
本考案の排水用制水器具は、浴槽等の排水口に着脱自在に装着して、排水口より排水管へ排水される水の量を制限する排水用制水器具であって、上面に開口部を有し、かつ開口部より底部側へ漸次小径となる有底テーパ状に形成された器具本体と、器具本体の周面に開口され、かつ排水口より排水管へ排水される水の量を制限する制水孔とから構成したものである。
【０００７】
前記構成により、排水口より排水された水は、制水孔により排水量が制限されるため、マンションやホテルのように、各部屋に設置されたユニットバスの排水を集合させて排水管により排水するようにした排水設備でも、排水管の飲み込み量を越えた排水が排水口から排出されることがないため、排水管が排水を処理できなくなることにより生じる床面や階下への漏水が未然に防止できるようになる。
また排水孔へ流入する排水の流速が早いほど制水効果が増大し、流速が遅くなるに従い制水効果が減少するため、排水口より排水管へ排出される排水の量を平均化することができると共に、制水孔の開口面積を排水管の飲み込み量に応じて適切に設定することにより、排水口からの排水量を、排水管の飲み込み量の限度付近まで増すことができるため、排水時間を短縮することができ、これによって排水効率の向上も図れる。
【０００８】
本考案の排水用制水器具は、器具本体の内底面をほぼ半球状に形成したものである。
【０００９】
前記構成により、排水口より器具本体内へ流入した排水は、ほぼ半球状に形成された底部により上方向へ向かう旋回流となって開口部より流入する水流と衝突し、その後制水孔に向かう水流に変換されて、制水孔より排水管側へと排出されるため、制水孔側への流れがスムーズになると共に、底部にゴミが残留することもない。
【００１０】
本考案の排水用制水器具は、制水孔を、器具本体の円周方向に間隔を存して複数個形成したものである。
【００１１】
前記構成により、排水管の飲み込み量に応じた排水量の制限が制水孔の開口面積や孔の数により簡単に設定できるようになる。
【００１２】
本考案の排水用制水器具は、器具本体を、耐食性を有する金属や合成樹脂により一体成形したものである。
【００１３】
前記構成により、制水効果の高い排水用制水器具が安価に得られるようになる。
【考案の効果】
【００１４】
本考案の排水用制水器具によれば、排水口より排水された水は器具本体の周面に形成された制水孔により排水量が制限されて、排水管の飲み込み量を越えた排水が排水口から排出されることがないため、排水管が排水を処理できなくなることにより生じる床面や階下への漏水が未然に防止できるようになる。
【考案を実施するための最良の形態】
【００１５】
本考案の実施の形態を、図面を参照して詳述する。
図１はユニットバス等の浴槽の排水口に制水器具を装着した状態の断面図、図２は制水器具の正面図、図３は同平面図、図４は同断面図、図５及び図６は作用説明図である。
図１はマンションやホテル、戸建て住宅等に設置されたユニットバスの浴室（図示せず）内に設けられた浴槽１を示すもので、浴室と一体成形された浴槽１も、浴室と同様に強化プラスチック等の材料で形成されている。
浴槽１の床板１ａには、排水口２が床板１ａと一体成型されている。
排水口２は、床板１ａの上面に開口する開口部２ａが大径で、漸次下方へ小径となるテーパ部２ｂにより形成されていて、テーパ部２ｂの下部は、建造物に配管された排水管（図示せず）に接続されている。
【００１６】
排水口２の開口部２ａには、ゴム等の弾性体により形成された栓３が着脱自在に嵌合できるようになっていて、この栓３により排水口２を閉鎖したり、開放することができるようになっており、栓３の下方に制水器具の器具本体４が装着できるようになっている。
器具本体４は、ステンレス等の耐食性を有する金属薄板をプレス成形したもので、図２及び図３に示すように上面が開口した有底のテーパ状に形成されている。
器具本体４の上面開口部４ａは、外径が排水口２の開口部２ａに嵌合された栓３のやや下側の内径とほぼ等しくなっていて、開口部２ａより排水口２へ器具本体４を挿入した際、図１に示すように栓３のやや下側で開口部４ａの外周縁が排水口２の内周面に係止されるようになっている。
【００１７】
器具本体４の外周面は、排水口２のテーパ部２ｂの傾斜角度より大きい角度で傾斜されていて、開口部４ａの外周縁がテーパ部２ｂの内周面に係止された状態のときに、テーパ部２ｂの内周面と器具本体４の外周面との間に図１に示すように隙間５が生じるようになっている。
器具本体４の外周面には、開口部４ａより器具本体４内に流入した排水を排出するための制水孔４ｂが複数個開口されている。
各制水孔４ｂは、図２に示すようにほぼ逆台形に形成されていて、円周方向に等間隔に形成されており、これら制水孔４ｂにより排水口２より排出される水の量を制限することにより、排水口２より排水管へ排水される水の量が排水管の飲み込み量を越えないように制御している。
器具本体４の底部４ｃは、内底面がほぼ半球状に形成されていて、上面の開口部４ａより器具本体４内に流入した排水を、制水孔４ｂ側に導くようになっている。
【００１８】
次に前記構成された排水用制水器具の作用を、図５及び図６を参照して説明する。
ユニットバスの浴槽１内には、多量の湯水が溜められて入浴に供せられるが、入浴が終了して浴槽１内に溜められた湯水を排水する場合は、排水口２に嵌合されていた栓３を上方へ抜出する。
これによって浴槽１内の湯水は、排水口２に向かって図５に示すように流動を開始するため、排水口２より多量の水が排水管へ排水される。
このとき、もし器具本体４が排水口２に装着されていない場合は、図６の（ａ）に示すように、排水口２に接続された排水管の排水受け入れ量限界線Ａを越える水量が排水口２より排水されることがあり、その結果漏水等の原因となるが、排水口２に器具本体４を装着することにより、次のように漏水が防止できるようになる。
【００１９】
すなわち排水口２に向けて流動を開始した浴槽１内の湯水は、図５の矢印Ｂに示すように器具本体４の上面開口部４ａより器具本体４内へ流入した後、底部４ｃに達する。
底部４ｃは予めほぼ半球状に形成されていることから、底部４ｃに達した水は、半球状の底部４ｃに案内されて上方向へ向かう旋回流Ｃとなって開口部４ａより流入する水流Ｂと衝突し、その結果制水孔４ｂに向かう水流へと方向変換される。
このとき浴槽１内の水位が高く、排水口２へ向かう水量が多い場合は、排水口２へ流入する水の流速が早いため、器具本体４内に流入する水流Ｂと底部４ｃにより旋回される旋回流Ｃが器具本体４内で激しくぶつかり合い、これによって水流Ｂの流速が早いほど制水孔４ｃより排出される水の量が制限されるため、制水効果が高くなる。
逆に浴槽１内の水の多くが排水されて水位が低くなると、排水口２へ流入する排水の圧力が減少するため水流Ｂの流速が遅くなり、これによって制水孔４よりスムーズに水が排水されるため、制水孔４ｃによる制水効果も減少する。
【００２０】
すなわち排水口２に器具本体４を装着することにより、浴槽１内の水位が高いほど制水効果が増大し、水位が低くなるに従い制水効果が減少するため、排水口２より排水管へ排出される排水の量が平均化される。
そして制水孔４ｂに達した旋回流Ｃは、排水口２のテーパ部２ｂ内周面と器具本体４の外周面との間に生じた隙間５より排水管側へと排出されるが、制水孔４ｂにより排水口２より排出される水の量が制限されるため、図６の（ｃ）に示すように排水量が排水管の飲み込み量を越えることがない。
これによって排水管の飲み込み量を排水量が越えることにより生じる床面や階下への漏水が未然に防止できるようになる
【００２１】
また制水孔４ｂの開口面積を排水管の飲み込み量に応じて適切に設定することにより、排水口２からの排水量を、排水管の飲み込み量の限度付近まで増すことができ、これによって排水時間を短縮することができるため、排水効率の向上も図れるようになる。
さらに排水内に紙や垢等のごみが混入していても、制水孔４ｂにより除去することができるため、排水管がごみ等により目詰まりを起こすのを防止することもできると共に、制水孔４ｂに目詰まりが生じた場合、排水口２の開口部２ａより指を差し込んで器具本体４を取り出し、目詰まりを起こしたゴミを取り除くことにより、ゴミを簡単に清掃することができる。
【００２２】
なお前記実施の形態では、器具本体４に形成した制水孔４ｂをほぼ逆台形状としたが、図７及び図８に示す第１変形例のように、円形の制水口４ｂを円周方向に間隔を存して上下２段階に設けてもよい。
また図９及び図１０に示す第２変形例ように、縦方向に細長い長円状の制水孔４ｂを円周方向に等間隔に設けてもよく、第２変形例のように器具本体４全体を合成樹脂により一体成形することにより、より複雑な形状の器具本体４を得ることもできる。
さらに本考案の排水用制水器具は、浴槽１の排水口２のみならず、ユニットバスの洗い場に設けられた排水口や、流しの排水口等に装着しても同様の効果が得られるものである。
【図面の簡単な説明】
【００２３】
【図１】本考案の実施の形態になる排水用制水器具の使用状態の断面図である。
【図２】本考案の実施の形態になる排水用制水器具の正面図である。
【図３】本考案の実施の形態になる排水用制水器具の平面図である。
【図４】本考案の実施の形態になる排水用制水器具の断面図である。
【図５】本考案の実施の形態になる排水用制水器具の作用説明図である。
【図６】本考案の実施の形態になる排水用制水器具の作用説明図である。
【図７】本考案の実施の形態になる排水用制水器具の変形例を示す一部切欠正面図である。
【図８】本考案の実施の形態になる排水用制水器具の変形例を示す平面面図である。
【図９】本考案の実施の形態になる排水用制水器具の変形例を示す一部切欠正面図である。
【図１０】本考案の実施の形態になる排水用制水器具の変形例を示す平面図である。
【符号の説明】
【００２４】
１    浴槽
２    排水口
３    栓
４    器具本体
４ａ    開口部
４ｂ    制水孔
４ｃ    底部
【図１】
0003126254.tif 000003
【図２】
0003126254.tif 000004
【図３】
0003126254.tif 000005
【図４】
0003126254.tif 000006
【図５】
0003126254.tif 000007
【図６】
0003126254.tif 000008
【図７】
0003126254.tif 000009
【図８】
0003126254.tif 000010
【図９】
0003126254.tif 000011
【図１０】
0003126254.tif 000012